(57)【要約】【課題】本発明は、ＬＥＤの発光構造を最適化して、発光の均一度及び輝度を向上することで、運転手の夜間視認性を改善することが可能な自動車のアウトサイドミラー用バックライトユニットを提供する。【解決手段】本発明は、ボトムケースと、前記ボトムケースの内側の下部に載置され、電源供給時に発光可能な光源部と、前記ボトムケースの内側の上部に据置され、前記光源部から発散される光を均一に拡散させて、プリズムプレートに伝達する導光板と、前記ボトムケースの内側の上部で、前記導光板の前方に配置され、前記導光板から伝達された光を制御して、表面輝度を向上させるための前記プリズムプレートと、前記ボトムケースの前端に接合されるトップケースと、を含むことを特徴とする自動車のアウトサイドミラー用バックライトユニットを提供する。【選択図】図２
2015170597.tif 000002
【特許請求の範囲】
【請求項１】
ボトムケースと、
前記ボトムケースの内側の下部に載置され、電源供給時に発光可能な光源部と、
前記ボトムケースの内側の上部に据置され、前記光源部から発散される光を均一に拡散させて、プリズムプレートに伝達する導光板と、
前記ボトムケースの内側の上部で、前記導光板の前方に配置され、前記導光板から伝達された光を制御して、表面輝度を向上させるための前記プリズムプレートと、
前記ボトムケースの前端に接合されるトップケースと、を含むことを特徴とする自動車のアウトサイドミラー用バックライトユニット。
【請求項２】
前記ボトムケースの内側の上部には、前記プリズムプレートの前方に配置され、前記プリズムプレートから伝達された光を前方に均一に拡散させるディフューザシートが構成されていることを特徴とする請求項１に記載の自動車のアウトサイドミラー用バックライトユニット。
【請求項３】
前記トップケースは、中央部が開口された形態のフレーム状に形成され、開口された中央部に光を透過させるプロテクトプレートが気密に接合されていることを特徴とする請求項１に記載の自動車のアウトサイドミラー用バックライトユニット。
【請求項４】
前記ボトムケースの内側の上部には、前記導光板の後方に配置され、前記導光板の後方に漏れる光を反射させるリフレクタが構成されていることを特徴とする請求項１に記載の自動車のアウトサイドミラー用バックライトユニット。
【請求項５】
前記導光板は、その背面に前記光源部の光を拡散させるために、不規則な形状のパターンが形成され、前記パターンは、前記光源部に近接するほど、比較的稠密でない構造を有し、前記光源部から遠くなるほど、比較的稠密な構造を有することを特徴とする請求項１に記載の自動車のアウトサイドミラー用バックライトユニット。
【請求項６】
前記プリズムプレートは、ベース層と、該ベース層上に積層されたプリズムレイヤーとで構成され、前記プリズムレイヤーは、全体的に複数のプリズムが連続して形成された一表面に凸状に隆起されたマイクロレンズが形成されていることを特徴とする請求項１に記載の自動車のアウトサイドミラー用バックライトユニット。
【発明の詳細な説明】
【技術分野】
【０００１】
本発明は、自動車のアウトサイドミラー用バックライトユニットに係り、より詳しくは、アウトサイドミラーの内部にＬＥＤの発光構造を最適化して、運転手の視認性を改善することが可能なアウトサイドミラー用バックライトユニットに関する。
【背景技術】
【０００２】
自動車のＢＳＤ（Ｂｌｉｎｄ  Ｓｐｏｔ  Ｄｅｔｅｃｔｉｏｎ）システムは、車両の運行時に後側方の死角地帯に接近する障害物を感知し、それについての情報を運転手に提供する後側方警告装置である。
【０００３】
従来のＢＳＤシステムは、通常、自動車のアウトサイドミラーの内部に設けられるＢＳＤモジュール（あるいは、インジケータモジュール）を含み、前記ＢＳＤモジュールは、インジケータアイコンがエッチングされているガラスの背面に付着して構成される。
【０００４】
図１に示すように、従来のＢＳＤモジュールは、ＰＣＢ  ２０に実装されたＬＥＤ  ３０とリフレクタ４０とで構成され、通常、両面テープ及びガラスホルダを用いて、ガラス５０の背面に付着される。
【０００５】
前記ＢＳＤモジュールは、車両の後側方に接近する障害物が感知される時に作動したＬＥＤ  ３０の光がリフレクタ４０により反射され、間接的にガラス５０の鏡面にエッチングされているインジケータアイコン状を透過して、ガラスの外部に発光することで、運転手に障害物の接近を報知する。
【０００６】
しかし、前記ＢＳＤモジュールは、ＬＥＤの光を単にリフレクタにより反射させ、ガラスのエッチング部位を介して発光するので、光を均一に分布し、輝度を最適化するのに限界がある。
【０００７】
このようなＢＳＤモジュールの限界によって、アウトサイドミラーの配光バラツキの問題が持続的に生じ、運転手の夜間視認性が低下するという問題をもたらす。
【０００８】
このような問題点を改善するために、輸入製品を用いる場合はコストが増加するので、全車種に適用するのに制約がある。
【発明の概要】
【発明が解決しようとする課題】
【０００９】
本発明の目的は、前記のような点に鑑みて考案したものであって、ＬＥＤの発光構造を最適化して、発光の均一度及び輝度を向上することで、運転手の夜間視認性を改善することが可能な自動車のアウトサイドミラー用バックライトユニットを提供することにある。
【課題を解決するための手段】
【００１０】
前記目的を達成するために、本発明では、ボトムケースと、前記ボトムケースの内側の下部に載置され、電源供給時に発光可能な光源部と、前記ボトムケースの内側の上部に据置され、前記光源部から発散される光を均一に拡散させて、プリズムプレートに伝達する導光板と、前記ボトムケースの内側の上部で、前記導光板の前方に配置され、前記導光板から伝達された光を制御して、表面輝度を向上させるための前記プリズムプレートと、前記ボトムケースの前端に接合されるトップケースと、を含むことを特徴とする自動車のアウトサイドミラー用バックライトユニットを提供する。
【００１１】
本発明の実施形態によれば、前記ボトムケースの内側の上部には、前記プリズムプレートの前方に配置され、前記プリズムプレートから伝達された光を前方に均一に拡散させるディフューザシートが構成される。
【００１２】
なお、本発明の実施形態によれば、前記トップケースは、中央部が開口された形態のフレーム状に形成され、開口された中央部に光を透過させるプロテクトプレートが気密に接合される。
【００１３】
また、本発明の実施形態によれば、前記ボトムケースの内側の上部には、前記導光板の後方に配置され、前記導光板の後方に漏れる光を反射させるリフレクタが構成される。
【００１４】
また、本発明の実施形態によれば、前記導光板は、その背面に前記光源部の光を拡散させるために、不規則な形状のパターンが形成され、前記パターンは、前記光源部に近接するほど、比較的稠密でない構造を有し、前記光源部から遠くなるほど、比較的稠密な構造を有する。
【００１５】
さらに、本発明の実施形態によれば、前記プリズムプレートは、ベース層と、該ベース層上に積層されたプリズムレイヤーとで構成され、前記プリズムレイヤーは、全体的に複数のプリズムが連続して形成された一表面に凸状に隆起されたマイクロレンズが形成される。
【発明の効果】
【００１６】
本発明による自動車のアウトサイドミラー用バックライトユニットは、ＬＥＤの発光構造を最適化して、従来に比べて発光の均一度及び輝度を向上することで、運転手の夜間視認性を改善することができ、また既存の輸入品に代替して、コスト低減の効果が得られる。
【図面の簡単な説明】
【００１７】
【図１】従来のＢＳＤシステムを構成するＢＳＤモジュールを示す断面図である。
【図２】本発明の実施形態による自動車のアウトサイドミラー用バックライトユニットを示す分解斜視図である。
【図３】本発明の実施形態による自動車のアウトサイドミラー用バックライトユニットを示す外部斜視図である。
【図４】本発明の実施形態による自動車のアウトサイドミラー用バックライトユニットを示す正面図及び断面図である。
【図５】本発明の実施形態による導光板の構造を説明するための図面である。
【図６】本発明の実施形態によるプリズムプレートの構造を説明するための図面である。
【図７】アウトサイドミラーの背面に付着した本発明のバックライトユニットの発光原理を概略的に示す断面図である。
【図８】本発明の実施形態によるバックライトユニットが適用されたアウトサイドミラーを示す図面である。
【発明を実施するための形態】
【００１８】
以下、添付した図面を参照して、本発明の望ましい実施形態について、本発明の属する技術分野における通常の知識を持った者が容易に実施するように説明する。
【００１９】
本発明は、アウトサイドミラー用の後側方警告装置のバックライトユニットに係るものであって、特に、アウトサイドミラー用ガラスの背面に付着されるバックライトユニット（インジケータモジュール）の発光の均一度及び輝度を最適化して、運転手の視認性を改善することができる。
【００２０】
本発明によるアウトサイドミラー用バックライトユニット１００は、ＬＥＤの発光構造を最適化するためのものであって、図２及び図３に示すように、ボトムケース１１０、光源部１２０、導光板（ＬＧＰ：Ｌｉｇｈｔ  Ｇｕｉｄｅ  Ｐｌａｔｅ）１３０、プリズムプレート１４０、リフレクタ１５０、ディフューザシート１６０、プロテクトプレート１７０、及びトップケース１８０を含む。
【００２１】
ボトムケース１１０は、光源部１２０、導光板１３０、プリズムプレート１４０、リフレクタ１５０、ディフューザシート１６０などの内部部品を載置させて収納可能な内部空間を形成したものであって、内部部品が固定されるように支持して、内部部品の移動を防止し、外部から内部部品を保護すると共に、光源部１２０から発散される光を透過させるように前面が開口されている。
【００２２】
光源部１２０は、外部からの電源供給時に発光可能なものであって、ＬＥＤ  １２１が実装されたＰＣＢ  １２２で構成され、図４に示すように、ボトムケース１１０の内側の下部に据置される。
【００２３】
導光板１３０は、収容された光を、後方表面のパターン（オプティック）により導光板１３０の全体領域に均一に拡散させて、線または点の光源を面光源化させるものであって、ボトムケース１１０の内側の上部に据置されて、光源部１２０の上部に配置され、光源部１２０から発散される光を収容して、プリズムプレート１４０に均一に分散させて伝達する。
【００２４】
図５に示すように、導光板１３０は、光源部１２０に近接した個所のパターンは、不規則な形状の比較的稠密でない構造を有し、光源部１２０から遠くなるほど、導光板１３０のパターンは、比較的稠密な構造を有するように形成される。
【００２５】
これによって、導光板１３０は、光源部１２０に相対的に近い部分の乱反射光と、光源部１２０から相対的に遠い部分の乱反射光との差が減少して、導光板１３０を通過して発散される光の輝度が全体的に同一になる。
【００２６】
前記導光板１３０のパターンは、多様な方式により生成される。例えば、印刷方式、Ｖカット方式、金型方式などによって、導光板１３０の背面にパターンを形成する。
【００２７】
前記印刷方式は、導光板１３０の背面に乱反射用インクを印刷して、光源部１２０から入射された光の乱反射を起こし、前記Ｖカット方式は、導光板１３０の背面にＶ状の溝を加工して、入射された光の乱反射を起こし、前記金型方式は、導光板１３０の背面に凹凸を形成して、入射された光の乱反射を起こす。
【００２８】
プリズムプレート１４０は、導光板１３０を通過して伝達された光を屈折及び集光によって制御して、バックライトユニット１００の表面輝度を向上させるためのものであって、導光板１３０の前方で、ボトムケース１１０の内側の上部に据置されるように構成される。
【００２９】
図６に示すように、プリズムプレート１４０は、アクリル系樹脂からなるプリズムレイヤー１４１と、ポリエステルフィルムからなるベース層１４２とで構成され、前記プリズムレイヤー１４１は、一表面が複数のプリズム（尖らして突出した構造）１４１ａと、マイクロレンズ（凸状に突出した構造）１４１ｂとを混合した形態で形成され、平滑なベース層１４２上に積層及び接合される。
【００３０】
具体的には、プリズムレイヤー１４１は、一表面（ディフューザシート１６０側に光を放出する表面）に全体的に複数のプリズム１４１ａが連続して形成され、前記プリズム１４１ａが形成された一表面は、凸状に球面状に隆起された形態のマイクロレンズ１４１ｂを有し、それぞれのマイクロレンズ１４１ｂは、互いに一定の間隔をおいて形成される。
【００３１】
前記プリズムプレート１４０は、精密かつ微細な複合プリズムの作用により、導光板１３０から伝達された光を屈折、全反射、集光、放出または均一伝播などによって制御して、バックライトユニット１００の輝度と視野角とを制御する。
【００３２】
図６を参照すれば、プリズムピッチは、それぞれのプリズム１４１ａ間の間隔を表すものであって、バックライトユニット１００の正面の表面輝度を向上させる役割を有し、マイクロレンズピッチは、それぞれのマイクロレンズ１４１ｂ間の間隔を表すものであって、プリズムプレート１４０に入射された光の集光率を高くし、導光板１３０の光を高効率に利用可能にする役割を有し、プリズムアングルは、プリズム１４１ａの角度であって、光を屈折させる役割を有し、結果として輝度の向上を誘導する。
【００３３】
したがって、プリズムプレート１４０は、プリズムレイヤー１４１のプリズムピッチ及びプリズムアングルを調節して、バックライトユニット１００の表面輝度を向上させることができ、マイクロレンズピッチを調節して、導光板１３０を通過して入射された光の集光率を高くし、導光板１３０を通過した光の利用率を高くすることができる。
【００３４】
一例として、プリズムプレート１４０は、２１μｍのプリズムピッチと、９３゜のプリズムアングルとを有するプリズムレイヤー１４１と、７５μｍの厚さを有するベース層１４２とで構成され、前記プリズムレイヤー１４１とベース層１４２とを合わせた全厚は、プリズムレイヤー１４１の最高点を基準として９４μｍである。
【００３５】
図示していないが、プリズムプレート１４０は、ボトムケース１１０の内部で、ベース層１４２が導光板１３０と対向しており、プリズムレイヤー１４１がディフューザシート１６０と対向している。
【００３６】
そして、ボトムケース１１０の内側の上部には、導光板１３０の後方に配置され、導光板１３０の後方に漏れる光を反射させるリフレクタ１５０が構成される。
【００３７】
前記リフレクタ１５０は、導光板１３０の後方に漏れる光源部１２０の光を、導光板１３０及びバックライトユニット１００の正面側に反射させることで、光の損失を防止する。
【００３８】
また、ボトムケース１１０の内側の上部には、プリズムプレート１４０の前方に配置されるディフューザシート１６０が構成される。
【００３９】
前記ディフューザシート１６０は、プリズムプレート１４０から伝達された光を均一に拡散させて通過させる役割を有し、これによって、バックライトユニット１００の均一な輝度と色相とを具現化することができる。
【００４０】
そして、水密防止を、バックライトユニット１００の外観部品間を融着によってシーリング処理するが、ボトムケース１１０の前端に接合されるトップケース１８０は、中央部が開口された形態のフレーム状に形成され、開口された中央部に光を透過させる材質からなるプロテクトプレート１７０が融着によって気密に結合される。
【００４１】
トップケース１８０は、図４に示すように、中央部にプロテクトプレート１７０を一体に気密に結合した後、ボトムケース１１０の前端に融着などによって気密に接合されたり、図示していないが、開口された中央部にプロテクトプレート１７０を一体に成形した形態に設けられ、ボトムケース１１０の前端に一体に接合される。
【００４２】
前記プロテクトプレート１７０は、ディフューザシート１６０のように、ボトムケース１１０の内部に収納された内部部品を保護すると共に、ボトムケース１１０の内部から発散される光を透過させる役割を有し、併せて、ボトムケース１１０から外部に発散される光をさらに拡散させる機能も有する。
【００４３】
そして、図示していないが、前記プロテクトプレート１７０の表面（前面）には、保護フィルム（図示せず）がさらに構成されてもよい。
【００４４】
前記保護フィルムは、プロテクトプレート１７０の表面に除去可能に付着され、部品運搬中にスクラッチなどの損傷を防止する役割を有する。
【００４５】
前記のように構成されるバックライトユニット１００は、保護フィルムを除去した後、アウトサイドミラー用ガラスの背面に付着して設けられる。
【００４６】
図７を参照すれば、バックライトユニット１００は、ガラスホルダ２を介してアウトサイドミラー用ガラス１の背面に固設され、その時、前記ガラス１とバックライトユニット１００との間にシーリング性を向上するために、トップケース１８０の表面（前面）には、接着性を有する両面テープ１９０が使われる。
【００４７】
前記両面テープ１９０は、アウトサイドミラー用ガラス１とバックライトユニット１００のトップケース１８０との密着及び接着のためのシーリング材の役割を有し、ガラス１とトップケース１８０との間に漏光を防止する。
【００４８】
図７を参照して説明すれば、アウトサイドミラー用ガラス１の背面に付着したバックライトユニット１００は、光源部１２０から発散された光が導光板１３０を介して前方に均一に拡散して伝達され、導光板１３０の後方に損失される光はリフレクタ１５０を介して前方に反射され、導光板１３０を通過した光がプリズムプレート１４０を介して屈折及び集光されて、表面輝度が向上し、最終的に、ディフューザシート１６０を介して均一な輝度と色相とで具現化された光が外部に放出される。
【００４９】
この時、放出された光は、アウトサイドミラー用ガラス１の背面に伝達され、ガラスのエッチングされた部位を介してガラス１の前面（鏡面）側に放出される。
【００５０】
図８に示すように、アウトサイドミラー用ガラス１は、前面がインジケータアイコン状にエッチングされており、背面に付着したバックライトユニットが発光すれば、エッチング部位を介して光がガラス１の外部に放出され、運転手に後側方の死角地帯に障害物が近接していることを報知することができる。
【００５１】
この時、前記ガラス１の背面に付着したバックライトユニットは、車両の後側方に近接した障害物を認知した時に発生するシステムの信号によって発光する。
【００５２】
以上、本発明の実施形態について詳細に説明したが、本発明の権利範囲は、上述の実施形態に限定されず、特許請求の範囲で定義している本発明の基本概念を用いた当業者の色々な変形及び改良形態も、本発明の権利範囲に含まれる。
【符号の説明】
【００５３】
１００    バックライトユニット
１１０    ボトムケース
１２０    光源部
１２１    ＬＥＤ
１２２    ＰＣＢ
１３０    導光板
１４０    プリズムプレート
１４１    プリズムレイヤー
１４１ａ    プリズム
１４１ｂ    マイクロレンズ
１４２    ベース層
１５０    リフレクタ
１６０    ディフューザシート
１７０    プロテクトプレート
１８０    トップケース
１９０    両面テープ
【図１】
2015170597.tif 000003
【図２】
2015170597.tif 000004
【図３】
2015170597.tif 000005
【図５】
2015170597.tif 000006
【図６】
2015170597.tif 000007
【図８】
2015170597.tif 000008
【図４】
2015170597.tif 000009
【図７】
2015170597.tif 000010